(57)【特許請求の範囲】
【請求項１】
矩形状とした励振電極から引出電極の延出した水晶片の一端部両側を容器本体の内底面の水晶端子に導電性接着剤によって固着し、前記水晶片の他端部を前記容器本体の内底面に設けた枕部上に位置してなる表面実装用の水晶振動子において、
前記枕部は前記容器本体の内底面の幅方向の両端側に独立した２個が形成されて前記水晶片の他端部両側が前記２個の枕部に当接あるいは上方に位置し、
前記励振電極における他端部の両角部のみが切除され、前記励振電極の先端側を前記２個の枕部間に突出したこと
を特徴とする表面実装用の水晶振動子。
【発明の詳細な説明】
【技術分野】
【０００１】
本発明は表面実装用の水晶振動子（以下、表面実装振動子とする）を技術分野とし、特
に衝撃に対する振動特性を良好に維持した表面実装振動子に関する。
【背景技術】
【０００２】
（発明の背景）
表面実装振動子は小型・軽量であることから、携帯電話に代表される携帯型の電子機器
に周波数や時間の基準源として発振回路とともに内蔵される。近年では、例えば平面外形
が3.2×2.5ｍｍ以下とした小型化が進行し、衝撃による振動特性特に周波数変動を防止す
ることが求められている。
【０００３】
（従来技術の一例）
第３図は一従来例を説明する図で、同図（ａ）は表面実装振動子の断面図、同図（ｂ）
は平面図、同図（ｃ）は水晶片の平面図である。
【０００４】
表面実装振動子は積層セラミックからなる凹状とした平面視で矩形状の容器本体１に水
晶片２を収容する。容器本体１の内底面には長さ方向の一端部両側に図示しない水晶端子
３を有し、積層面を経て例えば一組の対角部に外部端子４として延出する。そして、容器
本体１の開口端面には例えばシーム溶接による金属カバー５を接合して水晶片２を密閉封
入する。
【０００５】
容器本体１の他組の対角部には金属カバー５と電気的に接続したアース端子としての外
部端子４を有する。水晶片２は両主面に励振電極６ａを有し、一端部両側に引出電極６ｂ
を延出する。そして、引出電極６ｂの延出した水晶片２の外周部は導電性接着剤７によっ
て水晶端子３に固着する。
【０００６】
一般には、水晶片２の他端部となる容器本体１の内底面には枕部８が設けられる。枕部
８は例えば水晶端子３の下地電極としての印刷によるＷ（タングステン）やＭｏ（モリブ
デン）、あるいはセラミックが容器本体１とともに一体的に焼成されてなる。これにより
、水晶片２の長手方向の主面をベベル「第４図（ａ）」やコンベックス「同図（ｂ）」と
した場合の、特に励振電極６ａが形成された振動領域が容器本体１の内底面に接触するこ
とを防止する。
【０００７】
なお、ベベルやコンベックスは例えば低周波帯（２４ＭＨｚ以下）とした場合に形成さ
れる。そして、水晶片２を平板状として３０ＭＨｚ以上とした高周波帯であっても「第４
図（ｃ）」、容器本体１の反りによって水晶片２の振動領域が内底面に接触するので、こ
の場合にも枕部８は有効となる。
【０００８】
さらに、枕部８は、衝撃時に生ずる水晶片２の他端部の揺れ幅を小さくして振動特性を
良好に維持する。すなわち、水晶片２の他端部の揺れ幅が小さいことから、一端部両側を
保持する導電性接着剤７への影響も小さい。したがって、導電性接着剤７を含む振動系も
衝撃による変化が少なくなるので、振動特性を良好に維持する。
【０００９】
これに対し、例えば水晶片２の他端部の揺れ幅が大きい場合は、水晶片２の一端部両側
を保持する導電性接着剤７の状態に変化を来たし、即ち振動系に影響を及ぼして振動特性
を悪化する。これらのことから、水晶片２の他端部に設けた枕部８は、振動領域の接触防
止及び衝撃に対する振動系の維持の点で有意義となる。
【特許文献１】特許第３７９２９７９号公報
【発明の開示】
【発明が解決しようとする課題】
【００１０】
（従来技術の問題点）
しかしながら、上記構成の表面実装振動子では、表面実装振動子の小型化が進行するに
つれ、衝撃によって振動周波数の周波数変化を生じる問題があった。すなわち、表面実装
振動子の小型化に伴って水晶片２の平面外形が小さくなると、振動特性特にクリスタルイ
ンピーダンス（ＣＩ）が悪化するので、通常では、励振電極６ａの面積を大きくする。
【００１１】
例えば水晶片２の平面外形を２．１×１．４５ｍｍとした場合は、蒸着やスパッタにて
励振電極６ａを形成する際のメッキ枠の枠幅（０．１〜０．１５ｍｍ）を残し、水晶片２
のほぼ全面に形成する。但し、引出電極６ｂの延出した一端部は導電性接着剤７による保
持を考慮して形成されるので、一端部の辺を除く３辺にて０．１〜０．１５ｍｍの無電極
部を残して励振電極６ａが形成される。ちなみに、励振電極６ａの外形は１．６×１．２
ｍｍとし、水晶片２の面積に対して約６３％になる。
【００１２】
このことから、水晶片２の他端部が衝撃によって枕部８に接触した場合は、他端部の先
端側となる無電極部のみならず励振電極６ａも接触する。そして、枕部８に接触した部分
の励振電極６ａを観察したところ、励振電極６ａには傷を生じていることが判明し、この
傷が原因で振動周波数が変化すると推察された。
【００１３】
（発明の目的）
本発明は衝撃に対する振動特性を良好に維持した表面実装振動子を提供することを目的
とする。
【課題を解決するための手段】
【００１４】
本発明は、特許請求の範囲（請求項１）に示したように、  矩形状とした励振電極から引出電極の延出した水晶片の一端部両側を容器本体の内底面の水晶端子に導電性接着剤によって固着し、前記水晶片の他端部を前記容器本体の内底面に設けた枕部上に位置してなる表面実装用の水晶振動子において、前記枕部は前記容器本体の内底面の幅方向の両端側に独立した２個が形成されて前記水晶片の他端部両側が前記２個の枕部上に位置し、前記励振電極における他端部の両角部のみが切除され、前記励振電極の先端側を前記２個の枕部間に突出した構成とする。
【発明の効果】
【００１５】
このような構成であれば、励振電極を含む水晶片の他端部が衝撃によって枕部に接触し
ても、励振電極の幅方向の両側に接触する。したがって、衝撃時の接触によって励振電極
の幅方向の両側に傷が生じても、幅方向の両側は振動の中心から最も離間した位置となる
ので、振動特性に与える影響は最も小さくなる。例えば励振電極の損傷によって等価定数
（Ｌ1、Ｃ1、Ｒ1）も変化も少なく、振動特性を維持する。
【００１６】
また、励振電極における他端部の両角部は切除され、励振電極の先端側を前記２個の枕部間に突出する。これにより、励振電極の他端部と両端側の枕部との接触を防止して励振電極面積を大きくする。
【発明を実施するための最良の形態】
【００１７】
第１図は本発明の実施形態を説明する金属カバーを除いた表面実装振動子の平面図であ
る。なお、前従来例と同一部分には同番号を付与してその説明は簡略又は省略する。
【００１８】
表面実装振動子は、前述したように凹状とした容器本体１の内底面に設けた水晶端子３
に、励振電極６ａから引出電極６ｂの延出した水晶片２の一端部両側を導電性接着剤７に
よって固着し、他端部は内底面に設けられた枕部８に当接してあるいは上方に位置して収
容される。容器本体１の開口端面は金属カバー５によって封止され、外底面には外部端子
４を有する。
【００１９】
そして、この実施形態では容器本体１における内底面の枕部８はそれぞれ独立した２個
として、他端部における幅方向の両端側に設けられる。ここでは、印刷及び焼成によるセ
ラミックコートとする。なお、水晶端子３及び枕部（セラミックコート）８は二層として
厚みを大きくする。
【００２０】
水晶片２は前述のように２．１×１．４５ｍｍとし、励振電極６ａは１．６×１．２ｍ
ｍとして、引出電極６ｂの延出した一端部を除いて各辺からメッキ枠幅の０．１〜０．１
５ｍｍを余して全領域に形成される。励振電極６ａの水晶片２に対する面積比は約６３％
になる。
【００２１】
このような構成であれば、水晶片２の他端部が衝撃によって上下に遥動すると、枕部８
に対向した水晶片２の主面における励振電極６ａの幅方向の両端側のみが枕部８に接触す
る。したがって、水晶片２の他端部の遥動による励振電極６ａの損傷は、振動の中心（励
振電極の中心）から最も離間した幅方向の両端側となる。
【００２２】
これにより、振動特性に与える影響を最も小さくして、等価定数（Ｌ1、Ｃ1、Ｒ1）も
変化も少なく、周波数変化を抑制する等の振動特性を良好に維持する。この場合、励振電
極６ａの大きさを従来同様に維持するので、クリスタルインピーダンス（ＣＩ）を小さく
維持できる。
【００２３】
上記実施形態では励振電極６ａは従来同様に４角部を直角とする矩形状としたが、第２
図（ａ）に示したように、励振電極６ａの他端部の両角部を切除する。ここでは例えば先
端側を円弧状に突出する。そして、励振電極６ａの両角部を切除した無電極部と各枕部８
は対向して位置し、励振電極６ａの先端側を各枕部８間に突出させる。
【００２４】
このようにすれば、衝撃時の遥動があっても両側の枕部８は、角部を切除された無電極
部に接触して、励振電極６ａへの損傷を防止する。そして、各枕部８間に励振電極６ａの
先端側を突出するので、励振電極６ａの面積を大きく維持できる。したがって、衝撃に対
する振動特性をさらに良好にする。
【００２５】
この場合、第２図（ｂ）に示したように枕部８を励振電極６ａの角部を切除した傾斜面
と平行にした三角形状の枕部８とすることによって、衝撃時の接触面積を大きくして小型
化を維持するようにしてもよい。なお、先端側は円弧状としたが角部が直線状に切除され
ていてもよく、要は枕部８に当接することなく水晶片２の先端側が枕部８間に突出する形
状であればよい。
【図面の簡単な説明】
【００２６】
【図１】本発明の実施形態を説明する金属カバーを除いた表面実装振動子の平面図で    ある。
【図２】本発明の他の例を説明する特に水晶片の平面図である。
【図３】従来例を説明する図で、同図（ａ）は表面実装振動子の断面図、同図（ｂ）    は平面図、同図（ｃ）は水晶片の平面図である。
【図４】従来例を説明する図で、同図（ａ）はベベル、同図（ｂ）はコンベックス、    同図（ｃ）は平板状とした水晶片の断面図である。
【符号の説明】
【００２７】
１  容器本体、２  水晶片、３  水晶端子、４  外部端子、５  金属カバー、６ａ  励
振電極、６ｂ  引出電極、７  導電性接着剤。
【図２】
0004659012.tif 000002
【図４】
0004659012.tif 000003
【図１】
0004659012.tif 000004
【図３】
0004659012.tif 000005